【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
生物学的反応に使用される１もしくは複数の対照製品の作業結果に関するパラメーターを提供する方法であって：
開発システムにより、１もしくは複数の試験に関連する異なる結果についてのデーターポイントを分析することにより、１もしくは複数のパラメーターを作成し；
開発データーベースに当該１もしくは複数のパラメーターを格納し；
開発システムにより、当該１もしくは複数のパラメーターの承認を受信し；
当該承認に基づき、当該１もしくは複数のパラメーターをユーザーデーターベースに送信し、ここでサーバーシステムが、当該ユーザーデーターベースと通信可能に接続されており；
サーバシステムにより、上記１もしくは複数の試験に関連する上記１もしくは複数のパラメーターについてのリクエストを顧客から受信し、ここで各試験は、生物学的反応において１もしくは複数の分析物を試験して、１もしくは複数の分析物の結果を作成するように動作可能であり、かつ生物学的反応において上記１もしくは複数の対照製品を試験して、１もしくは複数の対照の結果を作成するように動作可能であり、上記１もしくは複数の対照の結果が、前記１もしくは複数の分析物の結果の性質を確認するように動作可能であり、ここで前記リクエストが、前記１もしくは複数の分析物及び前記１もしくは複数の対照製品を同定し；
当該サーバシステムが、前記ユーザーデーターベースにアクセスして、当該リクエストに対応する前記１もしくは複数のパラメーターを同定し、ここで前記１もしくは複数のパラメーターが、前記１もしくは複数の分析物の結果の品質を確認するために、１もしくは複数の対照の結果についての１もしくは複数のアップデートされた許容できる数値を特定し；そして
前記１もしくは複数のパラメーターを顧客に送信すること、
を含んでなる方法。
【請求項２】
前記パラメーターについてのリクエストを受信する前に前記１もしくは複数の対照製品を顧客に送付すること、をさらに含んでなる、請求項１に記載の方法。
【請求項３】
前記開発とユーザーのデータベースが、ファイアウォールによって隔てられている、請求項１に記載の方法。
【請求項４】
前記サーバシステムにより前記顧客からのカスタマイズ情報を受信することをさらに含んで成り、ここで、前記の特定されたパラメーターは当該カスタマイズ情報に基づいている、請求項１に記載の方法。
【請求項５】
前記パラメーターがデータチャートとして送信される、請求項１に記載の方法。
【請求項６】
前記リクエストが自動通知リクエストである、請求項１に記載の方法。
【請求項７】
前記サーバシステムにより、前記顧客によってなされた選択に基づいてカスタマイズされたデータチャートを作成することをさらに含んでなる、請求項１に記載の方法。
【請求項８】
開発データベースを確認して、パラメーターが変更されたか否かを決定し；そして
パラメーターが変更された場合に顧客に通知を送信すること、
をさらに含んでなる、請求項１に記載の方法。
【請求項９】
サーバシステムが、複数の顧客からカスタマイズ情報を受信し、ここで、前記特定されたパラメーターは当該カスタマイズ情報に基づいている；そして
当該カスタマイズ情報を保存すること、
をさらに含んでなり、
ここで、前記顧客に通知を送信することが、保存したカスタマイズ情報を使用して、どの顧客が変更されたパラメーターをリクエストしているのかを決定することを伴う、請求項８に記載の方法。
【請求項１０】
前記顧客のためにユーザーインタフェースを提供して、複数のプロフィールを作成すること、
をさらに含んでなる、請求項１に記載の方法。
【請求項１１】
前記顧客についての複数のプロフィールを作成することをさらに含んで成り、各プロフィールが異なる情報を含む、請求項１０に記載の方法。
【請求項１２】
前記の異なる情報が、製品名、ロット番号、実施される試験、及び試験を実施するために使用される機器、から成る群から選択される１もしくは複数の情報を含む、請求項１１に記載の方法。
【請求項１３】
前記１もしくは複数の対照の結果についての、前記１もしくは複数のアップデートされた許容される値が、１もしくは複数の範囲の許容される値である、請求項１に記載の方法において用いられるコンピューターシステム。
【請求項１４】
前記１もしくは複数の対照の結果についての、前記１もしくは複数のアップデートされた許容される値が、１もしくは複数の標的値である、請求項１に記載の方法において用いられるコンピューターシステム。
【請求項１５】
前記リクエストが、前記１もしくは複数の対照製品を試験して、前記１もしくは複数の対照の結果を作成するように動作可能な装置のタイプを同定する、請求項１に記載の方法。
【請求項１６】
前記リクエストが、前記１もしくは複数の対照製品と使用するように動作可能な試薬を同定する、請求項１に記載の方法。
【請求項１７】
前記リクエストが、ウェブページ上でユーザーインターフェースを介して受信され、そして当該ユーザーインターフェースが、前記顧客に、カスタマイズ情報としてウェブサイトの言語、製品、ロット番号、インサート言語、チャートユニット、及び使用説明書の選択を許容するように動作可能である、請求項１に記載の方法。
【請求項１８】
以下の：
前記顧客からカスタマイズリクエストを受信し、ここで当該カスタマイズリクエストが、カスタマイズ情報の１もしくは複数の選択を同定し；
前記カスタマイズ情報をを特定のフォーマットにまとめ；
前記まとめられたカスタマイズ情報を前記ユーザーデーターベースに送信し；
インサートを作成するためのリクエストをレンダリングエンジンに送り、ここで当該レンダリングエンジンが、１もしくは複数のパラメーター及び当該ユーザーデーターベースに格納されたカスタマイズ情報にアクセスし；
レンダリングエンジンにより、まとめられたカスタマイズ情報と１もしくは複数のパラメーターを用いて前記インサートをレンダリングする
をさらに含む、請求項１７に記載の方法。
【請求項１９】
前記受信されたリクエストが、第一リクエストであり、かつ当該方法がさらに、前記顧客から第二リクエストを受信し、当該第二リクエストが、ウェブサイトの言語及びインサート言語を同定する、請求項１に記載の方法。
【請求項２０】
生物学的反応に使用される１もしくは複数の対照製品に関する作業結果のパラメーターを提供するための作業を実施するようにプロセッサを制御するための複数の命令を保存した持続性有形のコンピューター可読媒体を含むコンピュータープログラム製品であって、前記命令が：
１もしくは複数の試験に関する異なる結果のデータポイントを分析することにより１もしくは複数のパラメーターを作成し；
開発データーベースに前記１もしくは複数のパラメーターを格納し；
１もしくは複数のパラメーターの承認を受信し；
当該承認に基づいて、前記１もしくは複数のパラメーターを、ユーザーデーターベースに送信し、ここで当該１もしくは複数のパラメーターを、前記ユーザーデーターベースから取得し；
顧客から、前記１もしくは複数の試験に関する前記１もしくは複数のパラメーターについてのリクエストを受信し、ここで各試験が、生物学的反応において１もしくは複数の分析物を試験して、１もしくは複数の分析物の結果を作成するように動作可能であり、かつ生物学的反応において上記１もしくは複数の対照製品を試験して、１もしくは複数の対照の結果を作成するように動作可能であり、上記１もしくは複数の対照の結果が、前記１もしくは複数の分析物の結果の品質を確認するように動作可能であり、ここで前記リクエストが、前記１もしくは複数の分析物及び前記１もしくは複数の対照製品を同定し；
前記ユーザーデーターベースにアクセスして、前記リクエストに対応する前記１もしくは複数のパラメーターを同定し、ここで当該１もしくは複数のパラメーターが、前記１もしくは複数の分析物の結果の品質を確認するために、前記１もしくは複数の対照の結果についての１もしくは複数のアップデートされた許容される数値を特定し；そして
当該パラメーターを顧客に送信すること、
を含んでなるコンピュータープログラム製品。
【請求項２１】
前記命令が：
前記開発データベースを確認して、パラメーターが変更されたか否かを決定し；そして
パラメーターが変更されており、且つ、前記顧客が以前に当該パラメーターをリクエストしている場合に、前記顧客に通知を送信すること、
をさらに含んでなる、請求項２０に記載のコンピュータープログラム製品。
【請求項２２】
以下の：
複数の試験に関するパラメータを含む開発データベース；ならびに、
顧客によりアクセス可能なユーザーデーターベース；及び
１もしくは複数の試験に関連した異なる結果のデーターポイントを分析することにより、１もしくは複数のパラメーターを作成し；
前記開発データーベースに、前記１もしくは複数のパラメーターを格納し；
前記１もしくは複数のパラメーターに関する承認を受信し；
当該承認に基づき、前記ユーザーデーターベースに前記１もしくは複数のパラメーターを送信し；
前記顧客から、前記１もしくは複数の試験に関連する前記１もしくは複数のパラメーターについてのリクエストを受信し、ここで各試験は、生物学的反応において１もしくは複数の分析物を試験して、１もしくは複数の分析物の結果を作成するように動作可能であり、かつ生物学的反応において上記１もしくは複数の対象製品を試験して、１もしくは複数の対照の結果を作成するように動作可能であり、上記１もしくは複数の対照の結果が、前記１もしくは複数の分析物の結果の品質を確認するように動作可能であり、ここで前記リクエストが、前記１もしくは複数の分析物及び前記１もしくは複数の対照製品を同定し；
前記ユーザーデーターベースにアクセスして、前記リクエストに対応する前記１もしくは複数のパラメーターを同定し、ここで当該１もしくは複数のパラメーターが、前記１もしくは複数の分析物の結果の品質を確認するために、前記１もしくは複数の対照の結果についての１もしくは複数のアップデートされた許容される数値を特定し；そして
当該１もしくは複数のパラメーターを顧客に送信する
ように設定されている１もしくは複数のプロセッサ、を備えたサーバ、
を具備するコンピュータシステム。
【請求項２３】
以下の：
開発データベースと一体となっている別のデータベース；及び
前記パラメーターを決定し、そして決定したパラメーターを別のデータベース内に保存する作成装置、
をさらに含んでなる、請求項２２に記載のコンピュータシステム。
【請求項２４】
前記１もしくは複数のプロセッサが：
開発データベースを確認して、パラメーターが変更されたか否かを決定し；そして
パラメーターが変更されている場合に前記顧客に通知を送信するよう更に設定されている、請求項２２に記載のコンピュータシステム。